【事件の表示】
　特願２００１−２７１５２８「電子写真感光体」拒絶査定不服審判事件〔平成１５年　３月１４日出願公開、特開２００３−　７６０４５〕について、次のとおり審決する。
【結　論】
　本件審判の請求は、成り立たない。
【理　由】
１．手続の経緯・本願発明 
　本願は，平成１３年９月７日の出願であって、平成１８年１月１９日付けの拒絶理由の通知に対し、同年３月２７日付けで手続補正書が提出され、さらに、同年７月１３日付けの最後の拒絶理由の通知に対し、同年９月１９日付けで手続補正書が提出されたところ、平成１９年４月１３日に、上記平成１８年９月１９日付けの手続補正書による補正について補正却下の決定がなされ、同日に拒絶査定がなされ、平成１９年５月２４日付けで拒絶査定に対する審判請求がなされたものである。
　
　よって、本願の請求項１に係る発明（以下、「本願発明」という。）は、平成１８年３月２７日付けの手続補正書によって補正された明細書の特許請求の範囲に記載された次のとおりのものと認められる。
　
　「【請求項１】導電性基体上に下引き層、電荷発生層及び電荷輸送層が積層された電子写真感光体において、下引き層が長軸長Ａと短軸長Ｂとの比（アスペクト比）が１．５以上の細長い形状である針状及び／又は短軸長が１μｍ以下で長軸長が１００μｍ以下である細長くかつ枝分かれしている樹枝状の酸化チタン粒子を含有し、電荷発生層がバインダー樹脂として下記一般式［Ｘ］で示されるブチラール樹脂を用いて形成されたものであり、且つ、電荷輸送層が電荷輸送材料として下記一般式［Ａ］で表されるスチリル系化合物を必須成分とし、一般式［Ｂ］で表される芳香族ジアミン系化合物又は一般式［Ｃ］で表されるアミノスチルベン系化合物から選択された１種もしくは２種以上の化合物を含有することを特徴とする積層型電子写真感光体。
【化１】
（式中、Ｒ０　は、水素原子、メチル基又はエチル基を表し、Ｊ、ｋ、ｌ、ｍは各々１以上の整数を表す。）
【化２】
（式中、Ａｒ１　〜Ａｒ４　は、同一又は異なって置換基を有してもよいアリール基を表し、ｎは０又は１を表す。但し、Ａｒ１　〜Ａｒ４　の少なくとも１つは置換アミノ基を有するアリール基である。）
【化３】
（式中、Ｒ１　〜Ｒ５　は、同一又は異なって水素原子、ハロゲン原子、アルキル基又はアルコキシ基を表し、ｏ、ｐ、ｓ、ｔは０〜５の整数、ｑ、ｒは０〜４の整数を表す。）
【化４】
（式中、Ａｒ５　は置換基を有してもよいアリール基を表し、Ａｒ６　は置換基を有してもよいフェニレン基を表し、Ｒ７　は水素原子、低級アルキル基又は低級アルコキシ基を表し、Ｘは水素原子、置換基を有してもよい、アルキル基又はアリール基を表し、Ｙは置換基を有してもよいアリール基を表わす。）」
　 
２．引用刊行物記載の発明
　これに対して，原査定の拒絶の理由に第１刊行物として引用された特開２０００−５６４９０号公報（以下、「刊行物１」という。）には、次の事項が記載されている。
　
（１ａ）「【請求項３】  導電性支持体上に感光層を有する電子写真感光体において、該感光層が下記一般式（１）
【化６】
（式中、Ｒ１、Ｒ２、Ｒ３及びＲ４は水素原子、アルキル基、アルコキシ基、ヒドロキシ基、ニトロ基、アリル基、置換基を有していてもよいアリール基、アラルキル基又はハロゲン原子を示し、Ｒ５及びＲ６は置換基を有していてもよいアルキル基、アラルキル基又はアリール基を示し、ｎは独立に０から２の整数を示す）で示されるジアミン化合物、及び下記一般式（６）
【化７】
（式中、Ｒ２１、Ｒ２２、Ｒ２３及びＲ２４は水素原子、アルキル基、アルコキシ基、置換アミノ基、ヒドロキシ基、ニトロ基、アリル基、置換基を有していてもよいアリール基、アラルキル基又はハロゲン原子を示し、ｍは独立に０から２の整数を示す）で示されるブタジエン化合物を含有することを特徴とする電子写真感光体。」
　
（１ｂ）「【発明が解決しようとする課題】本発明の目的は、高感度であり、また繰り返し帯電、露光による連続画像形成に際して明部電位と暗部電位の変動が小さく耐久性に優れているだけでなく、反転現像系においても転写メモリーが極めて小さく、高品位な画像が得られる電子写真感光体、電子写真感光体を有するプロセスカートリッジ及び電子写真装置を提供することにある。」（【０００９】）
　
（１ｃ）「【００３４】
【表１】
　」
　
（１ｄ）「【００３５】
【表２】
　
（１ｅ）「【００４６】
【表１３】
」
　
（１ｆ）「【００４７】本発明の感光体は、・・・又は一般式（１）で示されるジアミン化合物及び一般式（６）で示されるブタジエン化合物からなる電荷輸送材料と適当な電荷発生材料を組み合わせて構成される。感光層の構成としては、例えば以下の形態が挙げられる。
【００４８】（Ａ）電荷発生材料を含有する層／電荷輸送材料を含有する層
（Ｂ）電荷輸送材料を含有する層／電荷発生材料を含有する層
（Ｃ）電荷発生材料と電荷輸送材料を含有する層
（Ｄ）電荷発生材料を含有する層／電荷発生材料と電荷輸送材料を含有する層
・・・なお、上記構成のうち特に（Ａ）の形態が好ましく、以下に更に詳細に説明する。本発明における導電性支持体としては、例えば以下に示した形態のものを挙げることができる。
（１）アルミニウム、アルミニウム合金、ステンレス、銅等の金属を板形状又はドラム形状にしたもの。
（２）ガラス、樹脂、紙等の非導電性支持体や前記（１）の導電性支持体上にアルミニウム、パラジウム、ロジウム、金、白金等の金属を蒸着もしくはラミネートすることにより薄膜形成したもの。
（３）ガラス、樹脂、紙等の非導電性支持体や前記（１）の導電性支持体上に導電性高分子、酸化スズ、酸化インジウム等の導電性化合物の層を蒸着あるいは塗布することにより形成したもの。」
（【００４７】〜【００５０】））
　
（１ｇ）「【実施例】以下、本発明を実施例に従って詳細に説明する。実施例中の「部」は重量部を示す。
【００６７】（実施例１−１）１０％酸化アンチモンを含有する酸化スズで被覆した酸化チタン粉体５０部、レゾール型フェノール樹脂２０部、メチルセロソルブ２０部、メタノール５部及びシリコーンオイル（ポリジメチルシロキサンポリオキシアルキレン共重合体、平均分子量３０００）０．００３部をφ１ｍｍガラスビーズを用いたサンドミル装置で２時間分散して導電層塗料を調製し、この塗料をアルミニウムシリンダー（φ３０ｍｍ×長さ２６１ｍｍ）上に浸漬塗布し、１４５℃で３０分乾燥させ、膜厚が２０μｍの導電層を形成した。
【００６８】この導電層の上に、メトキシメチル化ナイロン（数平均分子量３２０００）５部とアルコール可溶性共重合ナイロン（数平均分子量２９０００）１０部をメタノール９５部に溶解した液を浸漬塗布し、乾燥して膜厚が１μｍの下引き層を形成した。
【００６９】次に、ＣｕＫα特性Ｘ線回折におけるブラッグ角（２θ±０．２）の９．０°、１４．２°、２３．９°及び２７．１°にピークを有するオキシチタニウムフタロシアニン（ＴｉＯＰｃ）１０部を、ポリビニルブチラール（商品名：エスレックＢＸ−１、積水化学（株）製）１０部をシクロヘキサノン４００部に溶解した液に添加し、φ１ｍｍのガラスビーズを用いたサンドミル装置で３時間分散し、これに４００部の酢酸エチルを加えて希釈した後に回収して、これを下引き層上に浸漬塗布し、９０℃で１５分間乾燥して、膜厚が０．２５μｍの電荷発生層を形成した。
【００７０】次に、例示ジアミン化合物１−４を５部、例示ヒドラゾン化合物２−１を５部、ビスフェノールＺ型ポリカーボネート（数平均分子量４５０００）１０部をクロロベンゼン８０部に溶解した溶液を調製し、この溶液を電荷発生層上に浸漬塗布し、１１０℃で１時間乾燥し、膜厚が２０μｍの電荷輸送層を形成し、電子写真感光体を作成した。」
（【００６６】〜【００７０】）
　
（１ｈ）「【００８３】（実施例２−１〜２−８）実施例１−１で用いたジアミン化合物及びヒドラゾン化合物の代わりに下記の表２−１に示したジアミン化合物及びブタジエン化合物を用いた他は、実施例１−１と同様に電子写真感光体を作成し、評価した。結果を表２−１に示す。」
　
（１ｉ）「【００８８】
【表１５】
【００８９】この結果から、本発明の電子写真感光体は、優れた初期感度、繰り返し特性を有する共に、転写メモリーに優れることが知られる。・・・」（【００８８】〜【００８９】）
　
　上記の事項から、刊行物１には、以下の発明が開示されていると認められる。（以下、「刊行物１発明」という。） 
　但し、下記の記載において、「１−６、１−１０、１−３６が例示されるジアミン化合物（１）」および「３−１９、３−２０、３−２１が例示されるブタジエン化合物（６）」については、上記記載事項（１ｃ）、（１ｄ）および（１ｅ）の、それぞれ、表１，２および表１３の化学構造式を参照するものとして、該当する化学構造式は省略する。
　 
　「導電性支持体上に、下引き層を形成し、下引き層上に、ポリビニルブチラール（商品名：エスレックＢＸ−１、積水化学（株）製）を含む電荷発生層を形成し、電荷発生層上に、１−６、１−１０、１−３６等が例示されるジアミン化合物（１）および３−１９、３−２０、３−２１が例示されるブタジエン化合物（６）とを含む電荷輸送層を形成した電子写真感光体。」
　　
３．対比 
　本願発明と刊行物１発明とを比較すると、
　刊行物１発明の、ポリビニルブチラール（商品名：エスレックＢＸ−１、積水化学（株）製）は、その商品名からみて、本願発明の「一般式［Ｘ］で示されるブチラール樹脂」に相当する。
（なお、これに関し、請求人は、平成１８年９月１９日付け意見書およびそれを補うものとする平成１８年１０月２０日に提出した上申書にて、反論したが、審査官は、平成１９年４月１３日付けの拒絶査定にて再度にポリビニルブチラールが、本願の一般式［Ｘ］で表されるブチラール樹脂であると認定した。これに対し、請求人は審判請求の理由等で反論していない。）
　
　また、刊行物１発明の１−６、１−１０、１−３６が例示されるアミン化合物（１）および３−１９、３−２０、３−２１が例示されるブタジエン化合物（６）は、それぞれ、本願発明の「本願の一般式［Ｂ］で表される化合物」、および「一般式［Ａ］で表される化合物」に相当する。
　
　そして、刊行物１発明の導電性支持体は、本願発明の導電性基体に相当する。
（なお、原査定の拒絶の理由では、刊行物１の上記記載事項（１ｇ）の実施例に、アルミニウムシリンダー上に導電層塗料を塗布して導電層を形成したものを導電性支持体としていることから、「導電性層」を有することを相違点としているが、上記記載事項（１ｆ）からみて、導電性支持体には、「（１）アルミニウム、アルミニウム合金、ステンレス、銅等の金属を板形状又はドラム形状にしたもの。」のみならず、「（３）ガラス、樹脂、紙等の非導電性支持体や前記（１）の導電性支持体上に導電性高分子、酸化スズ、酸化インジウム等の導電性化合物の層を蒸着あるいは塗布することにより形成したもの。」も含まれるから、当審では相違点とはしない。）
　
　さらに、刊行物１発明には、「積層型」との記載はないものの、「積層型」は、本願明細書【０００２】に記載されているように、「・・・単層型と電荷発生材料と電荷輸送材料をそれぞれ電荷発生層と電荷輸送層も分散させて機能を分離した積層型に大別される。」と記載されており、刊行物１発明の「電子写真感光体」は、機能を分離した電荷発生層と電荷輸送層を有することから、「積層型電子写真感光体」である。
　
　したがって、本願発明と刊行物１発明とは、
「導電性基体上に下引き層、電荷発生層及び電荷輸送層が積層された電子写真感光体において、電荷発生層がバインダー樹脂として下記一般式［Ｘ］で示されるブチラール樹脂を用いて形成されたものであり、且つ、電荷輸送層が電荷輸送材料として下記一般式［Ａ］で表されるスチリル系化合物を必須成分とし、一般式［Ｂ］で表される芳香族ジアミン系化合物を含有することを特徴とする積層型電子写真感光体。
（但し、一般式［Ｘ］、［Ａ］および［Ｂ］については、本願発明の記載のとおりであり、省略。）」
である点で一致し、以下の相違点にて相違している。 
　 
［相違点］下引き層に関し、本願発明においては、「長軸長Ａと短軸長Ｂとの比（アスペクト比）が１．５以上の細長い形状である針状及び／又は短軸長が１μｍ以下で長軸長が１００μｍ以下である細長くかつ枝分かれしている樹枝状の酸化チタン粒子を含有する」のに対し、刊行物１発明においては、下引き層に、そのような酸化チタン粒子を含有していない点。
　
４．判断 
　上記相違点について検討する。 
　導電性基体上に、下引き層、電荷発生層及び電荷輸送層が積層された電子写真感光体において、感度向上や繰り返しによる帯電特性や残留電位の変動抑制の目的のために、「下引き層」に、「長軸長Ａと短軸長Ｂとの比（アスペクト比）が１．５以上の細長い形状である針状及び／又は短軸長が１μｍ以下で長軸長が１００μｍ以下である細長くかつ枝分かれしている樹枝状の酸化チタン粒子を含有する」ことは、周知技術である。
（原審最後の拒絶理由の第２ないし４刊行物である、特開２００１−２２１０９号公報の請求項１、５、【００１２】、【００４８】、【００５９】、
【０１０４】、【０１１５】、【０１３０】〜【０１５５】、特開２００１−２５８９４１号公報の請求項１、【００１１】、【００１２】、【００２８】、【００３４】−【００５２】、特開２００１−７５２９６号公報の請求項１，２，【０００５】、【００１０】、【００４８】、【０１００】、【０１０７】−【０１７８】、必要であれば、他に特開平７−８４３９３号公報の請求項１−３，【００１２】、【００１７】、【００２９】、【００３２】−【００５０】、【０１０２】、特開平１１−３４４８２６号公報の請求項１−５、【００１０】、【００１１】、【００９３】−【００９６】、【０１０２】−【０１１８】（実施例２〜４、６〜１０）参照）
　
　したがって、下引き層に、周知慣用の「長軸長Ａと短軸長Ｂとの比（アスペクト比）が１．５以上の細長い形状である針状及び／又は短軸長が１μｍ以下で長軸長が１００μｍ以下である細長くかつ枝分かれしている樹枝状の酸化チタン粒子を含有する」ことは当業者が容易に想到しうることである。
　そして、該酸化チタンを採用することによる作用効果も、刊行物１において、感度向上や繰り返しによる帯電特性や残留電位の変動抑制の目的の周知技術を適用することからみて、格別顕著であるとは認められない。
　また、本願発明の作用効果は、特に、「一般式［Ａ］で表されるスチリル系化合物を必須成分とし、電荷輸送層が電荷輸送材料として、「一般式［Ｂ］で表される芳香族ジアミン系化合物又は一般式［Ｃ］で表されるアミノスチルベン系化合物から選択された１種もしくは２種以上の化合物を含有すること」について、具体的に実施した例もないため、作用効果を確認することができない。
　
　したがって、本願発明は、刊行物１に記載された発明および周知技術に基づいて当業者が容易に発明をすることができたものである。 
　
５．むすび 
　以上のとおり、本願の請求項１に係る発明は、刊行物１に記載された発明および周知技術に基づいて当業者が容易に発明をすることができたものであるから、特許法第２９条第２項の規定により特許を受けることができない。 
　したがって、本願は拒絶すべきものである。 
　よって、結論のとおり審決する。